(57)【要約】      （修正有）【課題】地震時に左右の躯体が動いた場合、床用目地プレートが重なり合うのを防止し、揺れを吸収し、床用目地プレート上での安全が図れるとともに、通常時の床目地部を隙間が生じることなく覆うことができる床用目地装置の提供。【解決手段】目地部２を介して、側壁３を有する左右の躯体４の、一方の躯体４の目地部側床面に反目地部側が傾斜面の目地プレートスライド支持凹部６と、先端部がスライド移動可能に支持され、後端部が他方の躯体４の目地部側の床躯体に、上方への回動ができかつ左右の躯体４の側壁３との間に隙間ができるように取付けられた床用目地プレート１１と、この床用目地プレート１１の側壁側上面にスライド移動可能に取付けた隙間を覆う板状の端部目地カバー１２と、この端部目地カバー１２を前後方向にスライド移動でき、かつ側壁３に常時当接するように付勢する端部目地カバー取付機構１３とで床用目地装置１を構成する。【選択図】図１
2014062369.tif 000002
【特許請求の範囲】
【請求項１】
目地部を介して設けられた側壁を有する左右の躯体の、一方の躯体の目地部側床面に形成した反目地部側が傾斜面の目地プレートスライド支持凹部と、この目地プレートスライド支持凹部に先端部がスライド移動可能に支持され、後端部が前記左右の躯体の、他方の躯体の目地部側の床躯体に先端部が上方への回動ができ、かつ前記左右の躯体の側壁との間に隙間ができるように支持金具で取付けられた床用目地プレートと、この床用目地プレートの前記側壁側上面にスライド移動可能に取付けられた前記隙間を覆う板状の端部目地カバーと、この端部目地カバーを前後方向にスライド移動でき、かつ前記側壁に常時当接するように付勢する端部目地カバー取付機構とからなることを特徴とする床用目地装置。
【請求項２】
端部目地カバー取付機構は床用目地プレートに前後方向に所定間隔で配置された側壁側が開口する、少なくとも２個以上のガイド筒と、この少なくとも２個以上のガイド筒にそれぞれスライド移動可能に取付けられる後端部が端部目地カバーの側壁側に固定されるスライド軸と、前記端部目地カバーを常時側壁側に付勢する付勢スプリングとで構成されていることを特徴とする請求項１記載の床用目地装置。
【発明の詳細な説明】
【技術分野】
【０００１】
本発明は目地部を介して設けられた側壁を有する左右の躯体間の床目地部を覆う床用目地装置に関する。
【背景技術】
【０００２】
従来、左右の躯体間の床目地部を金属材製の浅皿状の目地プレート本体と、この目地プレート本体内に充填されたモルタルあるいはコンクリートと、このモルタルあるいはコンクリートの上面を覆うレンガやタイル等の床化粧板とで構成された床用目地プレートを用いる床用目地装置は、該床用目地プレートの後端部を他方の躯体の目地部側の床躯体にピンやヒンジ部材を用いて、先端部が上方へ回動可能に取付けられている。
【０００３】
このため、地震で左右の躯体が異なる左右方向への揺れ動きは、床用目地プレートの先端部のスライド移動で、その揺れ動きを吸収することができるが、地震で左右の躯体が異なる前後方向に揺れ動くと、床用目地プレートの端部が左右の躯体の側壁面と衝突して、損傷するため、床用目地プレートを突出状態で重ね合うようにして、その揺れ動きを吸収することも考えられているが、この場合、重ね合う部分が上方へ突出する状態となり、人や車が走行する場所には危険で、設置することができないという欠点があった。
【先行技術文献】
【特許文献】
【０００４】
【特許文献１】特許第４９７７０９１号公報
【発明の概要】
【発明が解決しようとする課題】
【０００５】
本発明は以上のような従来の欠点に鑑み、地震によって左右の躯体が異なる前後方向に揺れ動いた場合、床用目地プレートが突出状態で重なり合うのを防止して、その揺れ動きを吸収して、地震時の床用目地プレート上での安全性の向上を図ることができるとともに、通常時の床目地部を隙間が生じることなく、安全に覆うことができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた側壁を有する左右の躯体の、一方の躯体の目地部側床面に形成した反目地部側が傾斜面の目地プレートスライド支持凹部と、この目地プレートスライド支持凹部に先端部がスライド移動可能に支持され、後端部が前記左右の躯体の、他方の躯体の目地部側の床躯体に先端部が上方への回動ができ、かつ前記左右の躯体の側壁との間に隙間ができるように係合ピンやヒンジ部材で取付けられた床用目地プレートと、この床用目地プレートの前記側壁側上面にスライド移動可能に取付けられた前記隙間を覆う板状の端部目地カバーと、この端部目地カバーを前後方向にスライド移動でき、かつ前記側壁に常時当接するように付勢する端部目地カバー取付機構とで床用目地装置を構成している。
【発明の効果】
【０００８】
以上の説明から明らかなように、本発明にあっては次に列挙する効果が得られる。
（１）請求項１により、地震により左右の躯体が異なる前後方向に揺れ動くと、端部目地カバーが床目地プレート上をスライド移動して、その揺れ動きを吸収する。
したがって、床用目地プレートが従来のように上方へ突出することなく、安全に使用することができる。  
（２）前記（１）により、端部目地カバーが常時側壁に当接するように付勢されているので、側壁との間に隙間が生じるのを確実に阻止でき、安全に使用することができる。
（３）前記（１）により、端部目地プレートを板材で形成したものを使用しているので、構造が簡単で、安価に製造することができる。
（４）前記（１）により、板材の端部目地プレートを用いるので、設置作業を容易に行なうことができる。
（５）請求項２も前記（１）〜（４）と同様な効果が得られるとともに、スムーズに端部目地カバーを端部目地カバー取付機構でスライド移動させることができる。
【図面の簡単な説明】
【０００９】
【図１】本発明を実施するための第１の形態の平面図。
【図２】図１の２−２線に沿う断面図。
【図３】図１の３−３線に沿う断面図。
【図４】図１の４−４線に沿う断面図。
【図５】床用目地プレートの説明図。
【図６】端部目地カバーの説明図。
【図７】端部目地カバー取付機構の説明図。
【図８】地震で目地部が広くなる動作説明図。
【図９】地震で目地部が狭くなる動作説明図。
【図１０】地震で異なる前後方向に揺れ動いた動作説明図。
【図１１】本発明を実施するための第２の形態の平面図。
【図１２】図１１の１２−１２線に沿う断面図。
【図１３】図１１の１３−１３線に沿う断面図。
【図１４】本発明を実施するための第３の形態の平面図。
【図１５】図１４の１５−１５線に沿う断面図。
【図１６】図１４の１６−１６線に沿う断面図。
【発明を実施するための形態】
【００１０】
以下、図面に示す本発明を実施するための形態により、本発明を詳細に説明する。
【００１１】
図１ないし図１０に示す本発明を実施するための第１の形態において、１は目地部２を介して設けられた側壁３、３を有する左右の躯体４、４の床目地部２を覆う本発明の床用目地装置で、この床用目地装置１は前記左右の躯体４、４の一方の躯体４の目地部２側床面に、該目地部２の幅寸法Ｌの約２倍の長さ寸法に形成された反目地部側が傾斜面５の目地プレートスライド支持凹部６と、この目地プレートスライド支持凹部６を必要に応じて設置される支持凹部カバープレート７と、前記目地プレートスライド支持凹部６と対向する、前記他方の躯体４の目地部側床面に形成された目地プレート支持凹部８と、この目地プレート支持凹部８に後端部の両側部が支持金具９、９で支持され、先端部が前記目地プレートスライド支持凹部６あるいは支持凹部カバープレート７に支持された、前記左右の躯体４、４の側壁３、３との間に隙間１０ができるように配置された床用目地プレート１１と、この床用目地プレート１１の前記側壁３、３側上面にスライド移動可能に取付けられた前記隙間１０を覆う板状の端部目地カバー１２と、この端部目地カバー１２を前後方向にスライド移動でき、かつ前記側壁３に常時当接するように付勢する端部目地カバー取付機構１３とで構成されている。
【００１２】
前記床用目地プレート１１は、金属材製の浅皿状の床用目地プレート本体１４と、この床用目地プレート本体１４内に充填されたモルタルやセメント１５と、このモルタルやセメント１５の上面に設けたレンガやタイル等の床化粧板１６と、前記床用目地プレート本体１４の先端部にヒンジ部材１７を介して取付けられたカバーパネル１８とで構成されている。
【００１３】
前記支持金具９、９は前記床用目地プレート本体１４の後部両側部に形成された底面が開口１９、１９する支持ボックス２０、２０と、この支持ボックス２０、２０内に頭部２１、２１が挿入される、前記目地プレート支持凹部８に固定された係合ピン２２、２２とで構成されたものを使用した例について説明したが、本発明はこれに限らず、支持金具としてヒンジ部材を使用したものであっても良い。
【００１４】
前記端部目地カバー取付機構１３は前記床用目地プレート１１の隙間１０側の側面に開口２３、２３するように所定間隔で軸心が前後方向となるように、該床用目地プレート１１に埋設されたガイド筒２４、２４と、このガイド筒２４、２４にスライド移動可能で、かつ先端部が端部目地カバー１２の側壁３側の取付片１２ａに固定されたスライド軸２５、２５と、このスライド軸２５、２５の外周部に一端部が前記ガイド筒２４、２４に固定され、他端部が前記取付片１２ａを押し圧する付勢スプリング２６、２６とで構成されている。
【００１５】
前記端部目地カバー１２は前記床用目地プレート本体１４の大きさとほぼ同じ大きさの金属板で形成された端部目地カバー本体２７と、この端部目地カバー本体２７の先端部にヒンジ部材２８を介して取付けられた、前記カバーパネル１８の回動で回動するカバー板２９とで構成されている。
【００１６】
上記構成の床用目地装置１は通常時は左右の躯体４、４間の床目地部２は左右の床面２ａ、２ａとほぼ同じ上面となる床用目地プレート１１および側壁３に当接し、かつ該床用目地プレート１１と所定量重なり合う端部目地カバー１２で覆われた状態となっているので、安全にその上を人や車が走行することができる。
【００１７】
地震で左右の躯体４、４間の床目地部２が広くなるように揺れ動くと、図８に示すように床用目地プレート１１の先端部が一方の躯体４の目地プレートスライド支持凹部６あるいは支持凹部カバープレート７上をスライド移動して、その揺れ動きを吸収する。この時、端部目地カバー１２も床用目地プレート１１と一体になって移動する。
【００１８】
地震で左右の躯体４、４間の床目地部２が狭くなるように揺れ動くと、図９に示すように床用目地プレート１１の先端部が一方の躯体４の目地プレートスライド支持凹部６の傾斜面５あるいは支持凹部カバープレート７の傾斜面５に沿って上方へスライド移動するとともに、カバーパネル１８のヒンジ部材１７で取付けられた部分が上方へ移動し、先端部が床面２ａ上に位置した状態となり、安全にその揺れ動きを吸収する。この時、端部目地カバー１２も床用目地プレート１１と一体になって移動する。
【００１９】
地震で左右の躯体４、４が異なる前後方向へ揺れ動いた場合、図１０に示すように端部目地カバー取付機構１３の付勢スプリング２６、２６の付勢力に抗して、側壁３で端部目地カバー１２を床用目地プレート１１との重なり合いが大きくなるようにスライド移動させたり、端部目地カバー取付機構１３の付勢スプリング２６、２６の付勢力で側壁３に端部目地カバー１２を押し付け、床用目地プレート１１との重なり合いが小さくなるようにスライド移動させて、その揺れ動きを吸収する。
【００２０】
なお、地震の揺れ動きが停止すると、自動的に元の状態へ戻る。
【００２１】
また、地震で左右の躯体４、４が異なる前後方向に揺れ動いて床目地部２に生ずる隙間は、端部目地カバー１２の側壁３側にＬ字状の手摺を取付けることにより、解消することができる。
【００２２】
この時、他方の側壁３の端部に手摺をスライド移動可能に支持する支持部材を設けることにより、よりスムーズに移動させることができる。    
【００２３】
[発明を実施するための異なる形態]
次に、図１１ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１１ないし図１３に示す本発明を実施するための第２の形態において、前記本発明を実施するための第１の形態と主に異なる点は、ガイド筒２４、２４内にスライド軸２５、２５を押し圧することができる付勢スプリング２６Ａ、２６Ａを収納した端部目地カバー取付機構１３Ａを用いた点で、このような端部目地カバー取付機構１３を用いた床用目地装置１Ａにしても、前記本発明を実施するための第１の形態と同様な作用効果が得られる。
【００２５】
図１４ないし図１６に示す本発明を実施するための第３の形態において、前記本発明を実施するための第１の形態と主に異なる点は、床用目地プレート１１の後端部に形成したガイドレール３０に沿ってスライド移動するガイド片３１を端部目地カバー１２の後端部に形成し、床用目地プレート１１の後端部側のガイド筒２４と、このガイド筒２４にスライド移動する端部目地カバー１２に取付けられたスライド軸２５および端部目地カバー１２を側壁３方向に付勢する端部目地カバー１２の後端部側の部位と側壁３の外方へ突出する取付金具３２に取付けられた付勢スプリング２６Ｂとからなる端部目地カバー取付機構１３Ｂを用いた点で、このような端部目地カバー取付機構１３Ｂを用いた床用目地装置１Ｂにしても、前記本発明を実施するための第１の形態と同様な作用効果が得られる。
【００２６】
なお、本発明の各実施の形態では一方にだけ側壁３、３がある左右の躯体４、４について説明したが、本発明はこれに限らず、両方に側壁のある左右の躯体にも同様に設置することができる。
【産業上の利用可能性】
【００２７】
本発明は側壁のある左右の躯体間の床目地部を覆う床用目地装置を製造する産業で利用される。
【符号の説明】
【００２８】
１、１Ａ、１Ｂ：床用目地装置、２：目地部、
３：側壁、        ４：躯体、
Ｌ：目地部の幅寸法  、    ５：傾斜面、  
６：目地プレートスライド支持凹部、
７：支持凹部カバープレート、  ８：目地プレート支持凹部、
９：支持金具、      １０：隙間、
１１：床用目地プレート、    １２：端部目地カバー、
１３、１３Ａ、１３Ｂ：端部目地カバー取付機構、
１４：床用目地プレート本体、  １５：モルタルやセメント、
１６：床化粧板、      １７：ヒンジ部材、
１８：カバーパネル、    １９：開口、
２０：支持ボックス、    ２１：頭部、
２２：係合ピン、      ２３：開口、
２４：ガイド筒、      ２５：スライド軸、
２６、２６Ａ、２６Ｂ：付勢スプリング、
２７：端部目地カバー本体、  ２８：ヒンジ部材、
２９：カバー板、      ３０：ガイドレール、
３１：ガイド片、      ３２：取付金具。
【図１】
2014062369.tif 000003
【図２】
2014062369.tif 000004
【図３】
2014062369.tif 000005
【図４】
2014062369.tif 000006
【図５】
2014062369.tif 000007
【図６】
2014062369.tif 000008
【図７】
2014062369.tif 000009
【図８】
2014062369.tif 000010
【図９】
2014062369.tif 000011
【図１０】
2014062369.tif 000012
【図１１】
2014062369.tif 000013
【図１２】
2014062369.tif 000014
【図１３】
2014062369.tif 000015
【図１４】
2014062369.tif 000016
【図１５】
2014062369.tif 000017
【図１６】
2014062369.tif 000018